(57)【特許請求の範囲】
【請求項１】
葉が少なくあるいは無く長い茎をもった花、特にガーベラ、アンスリウム、そしてオランダカイウのための包装体において、
−可撓性もしくは剛性をもって作られた少なくとも一つもしくは複数の花器（２）と、
−上記花器（２）を互いに並べて位置づける手段と、
−収容される花の茎を通すが花自体は通れない開口（１７）列をもった一つもしくは複数のディスプレイチューブ（３）と、
−ディスプレイチューブ（３）内で、開口から挿入された花の茎が花器にまで及ぶように花器（２）上でディスプレイチューブ（３）を位置づける手段と、
−チューブ状の保護カラー（４）と、ディスプレイチューブの周囲に保護カラー（４）を位置づける手段と、
を有していることを特徴とする包装体。
【請求項２】
保護カラー（４）に取りつけられる蓋（５）を有することとする請求項１に記載の包装体。
【請求項３】
花器（２）は、保護カラー（４）の下縁を受け入れるように外側周囲に突出形成されたチャンネル（８）と共に水密の入れ子状コンテナ（１）を形成し、上記カラーの下縁がチャンネルの上部を囲むように延びていることとする請求項１又は請求項２に記載の包装体。
【請求項４】
花器（２）は入れ子状コンテナ（２７）の周縁（２４）に取りつけられるトレイ（２３）の開口を通して延びており、上記コンテナ（２７）は花器（２）を囲んでいて花器を位置づけていることとする請求項１又は請求項２に記載の包装体。
【請求項５】
ディスプレイチューブ（３）の位置づけのための手段は、トレイ（２３）の上面に設けられた起立突部（３１）を有し、ここに、ディスプレイチューブ（３）に外方へ突出して設けられたフランジ（１２）を受け入れる切れ目（３２）が形成されていることとする請求項４に記載の包装体。
【請求項６】
ディスプレイチューブを位置づける手段は、トレイ（２３）の上面から突出する支持リブ（２８，２９）を有していることとする請求項４に記載の包装体。
【請求項７】
花器（２）の端部に開口が形成され、フィルム状の花器（２）をトレイ（２３）に取外し自在に固定するためのリップ（３３）が取りつけられていることとする請求項４ないし請求項６のうちの一つに記載の包装体。
【請求項８】
花器（２）が上部で剛性リング（３７）に接続され、該リングがトレイ（２３）上でその開口に位置している（図６，８）こととする請求項４ないし請求項６のうちの一つに記載の包装体。
【請求項９】
花器（２）は弾性バンド（３５）によってトレイ（２３）の部分（３３，３４）に取外し自在に取付けられる（図５，７）こととする請求項４ないし請求項６のうちの一つに記載の包装体。
【請求項１０】
蓋（５）は通気孔（２０）が設けられていることとする請求項２ないし請求項９のうちの一つに記載の包装体。
【請求項１１】
蓋（１５）は、起立する複数の突起（２１）が設けられ、その内側にコンテナ（１，２７）が積載できるようになっていることとする請求項２ないし請求項１０のうちの一つに記載の包装体。
【請求項１２】
効果的な重合状態で、各ディスプレイチューブ（３）は矩形チューブ（１１）と該チューブ（１１）の各隅部に突出せるリブ（１２）を有することとする請求項１ないし請求項１１のうちの一つに記載の包装体。
【請求項１３】
ディスプレイチューブ（３）の突出せるリブ（１２）の下縁は水平外側部から斜部をもっており、コンテナ（１）の上端部は周囲チャンネル（８）から引きつづいて内方に向け水平部（１５）そして斜部（１６）を有することとする請求項３と組み合わせた請求項１２に記載の包装体。
【請求項１４】
ディスプレイチューブ（３）の開口は、二つの円形状の切欠き（１８，１９）から形成され、二つの切欠きは互いに異なる径で干渉しており、小径の切欠き（１９）が大径の切欠き（１８）の下部にて重なることとする請求項１ないし請求項１３のうちの一つに記載の包装体。
【請求項１５】
請求項１ないし請求項１４のうちの一つの包装体のためのディスプレイチューブにおいて、チューブが開口（１７）の列を有し、かつ平らな状態に折り畳めることを特徴とするディスプレイチューブ。
【請求項１６】
効果的な重合状態で、各ディスプレイチューブ（３）は矩形チューブ（１１）と該矩形チューブの隅部に突出せるリブ（１２）とを有し、花の茎のための開口（１７）が矩形チューブ（１１）の壁に形成されていることとする請求項１５に記載のディスプレイチューブ。
【請求項１７】
突出せるリブ（１２）の下縁が水平外側部（１４）から斜部をなしていることとする請求項１６に記載のディスプレイチューブ。
【発明の詳細な説明】
【０００１】
＜発明の属する技術分野＞
本発明は、葉が少なくあるいは無く長い茎をもった花、特にガーベラ、アンスリウム、そしてオランダカイウのための包装体に関する。
【０００２】
＜従来の技術＞
発明者は、ガーベラが搬送中に傷んだり萎れたりしないような包装体（いわゆゆるカッピング）に関心をもつようになった。乾燥している箱内にガーベラを詰めることは一般的ではない。萎れは比較的早く起こる。ガーベラをフィルム筒に入れて、部分的に水が張られた器に多くの花を入れておくことは公知である。この方法は注意を要する仕事であり、花びらをほぼ平らに戻すのに長時間を要する。
【０００３】
花が開口を通して内部に挿入され茎がベース上で水平にもたらされるようにするための花用包装箱は、オランダ特許出願７０１６４３３とオランダ特許１８９３９８に開示されている。箱は完全に閉じられており、その結果、通気がよく、そのために、しばしば形状が固まってしまう。
【０００４】
ＤＭ／０１７７１８のもとに出願された意匠は、水が入れられる四つの錘型の花器を有し、これが上部で共通の一つのプレートで互いに連結されている花用包装体を開示している。花を安定させるために、花器にはインレイ（inlay）が取りつけられ、全体が厚紙箱に収められている。収容量に関しては、欲しい部分が残されてしまったり、花に通気ができないといったことがある。
【０００５】
他の欠点は、花器の下側が他の花器に対して動いてしまうということである。一つの花器のベースが他の花器の方へずれてしまうと、包装体が傾くということになる。もし、ＤＭ／０１７７１８による包装体が厚紙箱内に入れられると、吸湿性のある箱は湿気を多く吸い軟弱となってしまう。そこには通気性がない。
【０００６】
花の茎が突出するように孔をもつ二つの花器を備えたコンテナでガーベラを縦の姿勢で搬送することが１９９６年４月の「フラワートレードジャーナル」に開示されている。この方法だと、花は搬送中、十分に保護されず収容量も少ない。
【０００７】
＜発明が解決しようとする課題＞
本発明の目的は、公知の包装体の利点を活かしつつ欠点を改善することにある。特に、本発明の主眼は、茎が水の中に立っていて花が最適に保護され、多くの花を収容でき、包装体の部材ができるかぎり小さなスペースで送り先へ返送でき、花がオークションや店頭で展示できるような、ガーベラや同様な花に好適で積載可能な包装体を提供することにある。
【０００８】
＜課題を解決するための手段＞
本発明によると、この目的のために、包装体は、
−補助手段によって位置づけられる可撓性もしくは剛性をもって作られた少なくとも一つもしくは複数の花器と、
−収容される花の茎を通すが花自体は通れない開口列をもった一つもしくは複数のディスプレイチューブと、
−ディスプレイチューブ内で、開口から挿入された花の茎が花器にまで及ぶように花器上でディスプレイチューブを位置づける手段と、
−チューブ状の保護カラーと、ディスプレイチューブの周囲に保護カラーを位置づける手段と、
を有している。
【０００９】
第一の形態では、花器は、保護カラーの下縁を受け入れるように外側周囲に突出形成されたチャンネルと共に水密の入れ子状コンテナを形成し、上記カラーの下縁がチャンネルの上部を囲むように延びている。
【００１０】
第二の形態では、花器は入れ子状コンテナの周縁に取りつけられるトレイの開口を通して延びており、上記コンテナは花器を囲んでいて花器を位置づけ、そして、もし花器が可撓性材料で作られているときには、それを支持する。
【００１１】
ディスプレイチューブの位置づけのための手段は、トレイの上面に設けられた起立突部を有するようにすることができ、ここには、ディスプレイチューブに外方へ突出して設けられたフランジを受け入れる切れ目を形成することができる。
【００１２】
ディスプレイチューブを位置づける手段は、トレイの上面から突出する支持リブを有することもできる。
【００１３】
花器は弾性バンドによってトレイの部分に取外し自在に取付けることができる。他の可能性は、花器がその上部で剛性リングにより取りつけられたり、あるいはトレイ上に設けられた上記リング上で突部に取りつけられたりすることである。
【００１４】
蓋は、好ましくは、通気孔が形成され、又、起立する複数の突起が設けられ、次の包装体のコンテナが上に積載できるようになる。
【００１５】
好ましくは、効果的な重合状態で、各ディスプレイチューブは矩形チューブを該チューブの各隅部に突出せるリブを有する。
【００１６】
ディスプレイチューブの突状リブの下縁は水平外側部から斜部をもつようにすることができ、コンテナの上端部は上記周囲チャンネルから引きつづいて内方に向け水平部そして斜部を有する。
【００１７】
ディスプレイチューブの開口は、二つの円形状の切欠きから形成でき、二つの切欠きは互いに異なる径で干渉しており、小径の切欠きが大径の切欠きの下部にて重なる。
【００１８】
本発明は、本発明にもとづく包装体のためのディスプレイチューブにも関する。
【００１９】
＜発明の実施の形態＞
本発明は、図面にもとづき、さらに詳細に説明される。
【００２０】
図１から図３に示される、葉が少なくあるいは無い長い茎をもつガーベラのような花のための包装体は、三つの平らな花器２から形成されるコンテナ１、それぞれの花器の上に配されたディスプレイチューブ３、ディスプレイチューブの周囲に配されたチューブ状の保護カラー４そして蓋５を有している。図１において、包装体上部の蓋は省略されているが、コンテナ１は下積みされている包装体の蓋５の上に置かれている状態で示されている。
【００２１】
三つの平らな花器２は互いに一つの例をなして配置されている。断面では器は矩形状であり、側壁はコンテナが入れ子状をなして収まるようにテーパ状となっている。
【００２２】
花器はチャンネル手段によって互いに連通しており、互いに対向して位置し上部で傾斜壁７で形づけられている湾入部６同士間にチャンネル手段は位置している。
【００２３】
Ｕ字状をなす周縁８は外方に向け突出していてコンテナ１の上部の周囲に設けられている。
【００２４】
ディスプレイチューブ３は隅部に重合線９を有する矩形状をなしていて、該チューブは搬送時に簡単に平らに折り畳めるようになっている。各側壁には二つの折り線１０が形成されていて、その結果、チューブは図１ないし図３のディスプレイ状態に折ることができ、すなわち、比較的小さな矩形チューブ１１と、該矩形チューブ１１の角から外方へ斜めに突出する四つの重合フランジ１２とをもつようになる。
【００２５】
四つのフランジ１２のそれぞれの下側には、斜部１３と水平部１４とが形成されている。チューブのディスプレイ状態では、水平部１４は花器の水平部１５上で支えられており、該水平部１５はチャンネル８の内側と連接し、斜部１３が器の斜部１６上に接面している。
【００２６】
ディスプレイチューブは好ましくは次の三つの状態をとる。
１．平らに折り畳まれた空の搬送状態
２．組立状態：この状態では、これは大きく開いたチューブとなる。これは大きな空間を提供して開口を通して花の挿入を容易にする。可能性ある形態としては、チューブは選択的にロータリホルダで支持される手段によってチューブ上部に孔が提供されていてもよく、ここで容器に把持される。
３．組立かつディスプレイ状態：この状態では、チューブは比較的幅狭な矩形チューブをなし、各角部から外方へ斜めに突出する四つの重合フランジを有する。
【００２７】
ディスプレイチューブは、矩形空間１１が茎を矩形チューブに挿入するのに十分な大きさであるときには、直接ディスプレイ状態に形づくることもでき、組立状態を省略できる。
【００２８】
ガーベラあるいは同様な花の茎が通される開口１７の縦列は、チューブ１１の壁に形成されている。花自体はこれらの開口を通過できないので、チューブの側壁に接触して見える状態に留まる。開口１７には挿入用の二つの切欠き、すなわち比較的大径の円形切欠き１８と比較的小径の円形切欠き１９とを有している。小径の切欠き１９は大径の切欠き１８の下部にて干渉しており、花が開口１７へ容易に挿入された後に花の茎は小径の円形切欠きへ安定して収められる。
【００２９】
ディスプレイチューブに花が収められると直ぐに、このチューブは花器２の上に配置される。図２は、どのようにして花器２内の水に花の茎がとどくようになるかを示している。水にまで延びる茎がディスプレイチューブの位置で安定しているかが理解できよう。かくして、ディスプレイチューブは三つの状態：搬送状態、すなわち、チューブが花の生産者や取引者で搬送されるように平らに折り畳まれた状態、花が挿入される組立状態、挿入された花が小売業者へ運ばれる搬送状態を提供する。
【００３０】
花が挿入されたディスプレイチューブが三つの花器２のそれぞれの上に配された後、保護カラー４がその下部にてコンテナ１のＵ字状のチャンネル８に取りつけられる。最後に、蓋５がカラー４に取りつけられる。搬送中、一本又は複数のストラップが各包装体にそれぞれ独立して巻回され又はパレット上で複数の包装体に巻回されている。ディスプレイチューブ３の数は、花器２の数と一致している必要はない。小さな花のガーベラのときには三つの花器上に六つのディスプレイチューブを用いることも可能である。プロテアのときには、複数の花器に対して一つだけのディスプレイチューブを用いることも可能であろう。オランダカイウやアンスリウムには、二つのディスプレイチューブを三つあるいはそれ以上の数の花器に用いることもできる。
【００３１】
通気孔２０は蓋に切り明けられ、Ｌ字型の四つの突起２１が蓋に設けられている。図１に見られるように、上方の包装体の花器２の下部は下方の包装体の蓋５の突部２１により限定された空間に正確に嵌まっている。ＮＬ−Ａ１００９１００による台形状の突起も上記Ｌ字状の突起に代えて使うことができる。
【００３２】
図４による第二実施形態は、図１ないし３のものとは、花器２が可撓性フィルムバッグもしくは剛性材料から作られた取外し自在の花器であるという点で相違しており、花器の上縁はリング２２で覆われて所定位置に保たれており、該リングは、矩形コンテナ２７の周縁２６で、互いに対向しそれぞれリップ２５を有する二つのサポート２４によって支持しているトレイ２３上に位置している。フィルムの花器２は、かくしてコンテナ２７に収まり、該コンテナは花器を位置づける機能をもつ。
【００３３】
Ｌ字状のリブ２８がトレイ２３の隅部に設けられ、直状リブ２９がトレイ２３の中央部に設けられている。このリブ２８と２９はトレイ２３上で二つのディスプレイチューブの位置づけの役を担っている。効果的な状態では、よく見えるように拡げられた状態で描かれている保護カラー４は、コンテナ２７の周壁の部分を形成するチャンネル３０の底部に載っている。上記周壁２６はチャンネル３０の二つの直立縁のうちの一方である。
【００３４】
図５そして６による第三実施形態は、図４のものに対して、所定位置に取りつけられるべきディスプレイチューブ３の外向き突条フランジ１２を受け入れるための切り込み３２を形成する起立突部３１がトレイ２３に設けられているという点で相違している。
【００３５】
トレイ２３は二対のリップ３３を有し、それぞれの一対は互いに対向して位置しＬ字状断面のリング３４につながっていて、各リングはトレイ２３の楕円状開口を囲繞している。フィルムの花器１２の上縁はリング３４上で覆われていて弾性バンド３５により所定位置に保持されている。弾性バンド３５はＬ字状リング３４の縦部の位置にまで及んで延びている。フィルムの花器２の上縁の二つの端部は二つあるいはそれ以上の開口が設けられていることとしてもよく、フィルムの花器２が弾性バンドの使用なしにトレイ２３へ取外し自在に取りつける手段によってリップ３３で覆われる。
【００３６】
ディスプレイチューブ３の下縁が湿気を帯びることを防止するために、トレイ２３は幾分窪んだ部分３６を有している。
【００３７】
図６と図８に示される実施形態は、図５と図７に示されたものに比して、フィルムの各花器２の上縁が弾性バンド３５によって別リング３７に取付けられていること、水平部がトレイ２３の円形開口の周囲の水平縁３８上にあることにおいて相違している。弾性バンド３５はリング３７内で凹湾曲部３７にある。
【００３８】
既述された包装体の最も重要な特徴は、
−花は搬送中に殆んど落ちないこと、
−包装体は通気性があるだけでなく積載が可能なこと、
−花は包装体内で長い間、鮮度を保つこと、
−ディスプレイチューブの形に合った輸送車での積載度（単位容積当りの花の数）が高いこと、
−花は水分を保持し、湿気が逃げられること、
−花は搬送中の損傷から十分に保護されること、
−花は、例えば、オークションや店頭において、包装体から取外されることなく  、容易かつ直ぐに見られること、
−発送先で花をトリムしたり鉄線で保持したりする必要がなく、又、花は必要なだけ水を吸い上げられること、
−包装体へ収容する水は比較的少なくてよいこと、
−第一実施形態に見られるように、器は互いにつながっているので、水は一箇所のみで供給すればよいこと、
である。
【００３９】
勿論、本発明の範疇において、種々の変形が可能である。
【図面の簡単な説明】
【図１】  本発明による花の包装体の第一実施形態の斜視図であり、蓋を外した状態で、保護カラーを配置し、ディスプレイチューブを一つだけとし、下積みされる包装体の蓋の上に積載された包装体を示している。
【図２】  図１におけるII−II線に沿った縦断面図である。
【図３】  図１そして図２による実施形態のディスプレイチューブの平面図でディスプレイ状態で示している。
【図４】  第二実施形態の斜視図である。
【図５】  第三実施形態の斜視図である。
【図６】  第四実施形態の斜視図である。
【図７】  図５におけるVII−VII線に沿った断面図である。
【図８】  図５におけるVIII−VIII線に沿った断面図である。
【図１】
0003663135.tif 000002
【図２】
0003663135.tif 000003
【図３】
0003663135.tif 000004
【図４】
0003663135.tif 000005
【図５】
0003663135.tif 000006
【図６】
0003663135.tif 000007
【図７】
0003663135.tif 000008
【図８】
0003663135.tif 000009